【手続補正書】
【提出日】令和1年7月23日(2019.7.23)
【手続補正１】
【補正対象書類名】特許請求の範囲
【補正対象項目名】全文
【補正方法】変更
【補正の内容】
【特許請求の範囲】
【請求項１】
通常の電力状態から複数の省電力状態に遷移可能な電子機器であって、
ストレージデバイスと、
少なくとも１つのプロセッサと少なくとも１つのメモリを含む第１コントローラと、
所定の通信規格に従う所定の物理通信インターフェースを介して前記第１コントローラ及び前記ストレージデバイスと通信する第２コントローラとを有し、
前記電子機器が前記複数の省電力状態のうちのいずれかの省電力状態に移行することに従って、前記第１コントローラは、前記移行する省電力状態に応じた省電力モードに前記第２コントローラを移行させ、省電力モードに移行した前記第２コントローラは、前記ストレージデバイスに対して電源をオフする所定のモードに移行させ、
且つ、
前記電子機器が前記複数の省電力状態のうちのいずれかの省電力状態から復帰することに従って、前記第１コントローラは、前記第２コントローラを前記省電力モードから復帰させ、復帰した前記第２コントローラは、前記所定のモードに基づいて前記ストレージデバイスを復帰させるか否かを制御することを特徴とする電子機器。
【請求項２】
前記所定の通信規格はＳＡＴＡ規格であり、
前記第２コントローラは、前記第１コントローラに接続される第１のＳＡＴＡ制御部と、第１のインターフェースを介して前記第１のＳＡＴＡ制御部に接続される第２のＳＡＴＡ制御部とを含み、
前記ストレージデバイスは、第２のインターフェースを介して前記第２のＳＡＴＡ制御部に接続され、
前記電子機器がアイドル状態から前記複数の省電力状態のうちのいずれかの省電力状態に移行することに従って、前記第１コントローラは、前記移行する省電力状態に応じた省電力モードに前記第１のＳＡＴＡ制御部を移行させ、
前記第１のＳＡＴＡ制御部は、前記第２のＳＡＴＡ制御部を前記省電力モードに移行させ、
前記第２のＳＡＴＡ制御部は、前記省電力モードに移行すると前記ストレージデバイスに対して電源をオフする第１の電源オフモード又は第２の電源オフモードに移行させることを特徴とする請求項１記載の電子機器。
【請求項３】
前記第１のＳＡＴＡ制御部は、前記第１コントローラによりアイドル状態から省電力状態への移行が指示されると、前記第１のインターフェースに対して省電力状態への移行処理を行い、自身に対して省電力状態への移行処理を行い、
前記第２のＳＡＴＡ制御部は、前記第１のＳＡＴＡ制御部によりアイドル状態から省電力状態への移行が指示されると、前記第２のインターフェースに対して省電力状態への移行処理を行い、自身に対して省電力状態への移行処理を行うことを特徴とする請求項２記載の電子機器。
【請求項４】
前記第２のＳＡＴＡ制御部は、省電力状態からアイドル状態への復帰した後、前記第１のＳＡＴＡ制御部からＡＴＡコマンドを受信すると、前記第１の電源オフモードであることに基づいて、前記ストレージデバイスの電源をオンさせるために前記ＡＴＡコマンドの処理を行うことを特徴とする請求項２記載の電子機器。
【請求項５】
前記第２のＳＡＴＡ制御部は、省電力状態からアイドル状態への復帰した後、前記第１のＳＡＴＡ制御部からＡＴＡコマンドを受信すると、前記第１の電源オフモードであることに基づいて、前記デバイスに対してアイドル状態への復帰処理を行い、前記第２のインターフェースに対してアイドル状態への復帰処理を行うことを特徴とする請求項４記載の電子機器。
【請求項６】
前記第１コントローラは、前記第１のＳＡＴＡ制御部に対して前記第１のインターフェースの省電力移行の設定を行い、前記第２のＳＡＴＡ制御部に対して前記第２のインターフェース及び前記デバイスの省電力移行の設定を行い、
前記第１のＳＡＴＡ制御部は、前記第１のインターフェースの省電力移行の設定を基に、前記第１のインターフェースに対して前記移行処理を行い、
前記第２のＳＡＴＡ制御部は、前記第２のインターフェースの省電力移行の設定を基に、前記第２のインターフェースに対して前記移行処理を行い、
前記第２のＳＡＴＡ制御部は、前記デバイスの省電力移行の設定を基に、前記デバイスに対して前記移行処理を行うことを特徴とする請求項３記載の電子機器。
【請求項７】
前記第１コントローラは、前記第１のＳＡＴＡ制御部に対して、省電力効果が異なる複数の省電力状態のうちの１つの省電力状態への移行を指示することを特徴とする請求項６記載の電子機器。
【請求項８】
前記第１コントローラは、前記複数の省電力状態毎に、前記第１のＳＡＴＡ制御部に対して前記第１のインターフェースの省電力移行の設定を行い、前記第２のＳＡＴＡ制御部に対して前記第２のインターフェース及び前記デバイスの省電力移行の設定を行うことを特徴とする請求項７記載の電子機器。
【請求項９】
さらに、印刷を行うプリンタを有することを特徴とする請求項１〜８のいずれか１項に記載の電子機器。
【請求項１０】
前記所定のモードは、前記第２コントローラが前記省電力モードから復帰する際に前記ストレージデバイスを復帰させる第１モードと、前記第２コントローラが前記省電力モードから復帰する際に前記ストレージデバイスを復帰させない第２モードのいずれかであることを特徴とする請求項１記載の電子機器。
【請求項１１】
前記複数の省電力状態は、少なくとも３つの省電力状態を含み、
前記電子機器が第１省電力状態に移行することに従って、前記第１コントローラは、前記第２コントローラを第１省電力モードに移行させ、
前記電子機器が前記第１省電力状態よりも消費電力が低い第２省電力状態に移行することに従って、前記第１コントローラは、前記第２コントローラを前記第１省電力モードよりも消費電力が低い第２省電力モードに移行させ、
前記電子機器が前記第２省電力状態よりも消費電力が低い第３省電力状態に移行することに従って、前記第１コントローラは、前記第２コントローラを前記第２省電力モードよりも消費電力が低い第３省電力モードに移行させることを特徴とする請求項１記載の電子機器。
【請求項１２】
前記電子機器が前記複数の省電力状態のうちのいずれかの省電力状態から復帰することに従って、前記第１コントローラは、前記第１のＳＡＴＡ制御部を前記省電力モードから復帰させ、
復帰した前記第１のＳＡＴＡ制御部は、前記第２のＳＡＴＡ制御部を前記省電力モードから復帰させ、
前記第２のＳＡＴＡ制御部は、前記省電力モードから復帰する際に、前記ストレージデバイスが前記第１の電源オフモードである場合には前記ストレージデバイスの電源をオンさせず、前記ストレージデバイスが前記第２の電源オフモードである場合には前記ストレージデバイスの電源をオンさせることを特徴とする請求項２記載の電子機器。
【請求項１３】
前記第１のＳＡＴＡ制御部は、前記第１コントローラにより省電力状態からアイドル状態への復帰が指示されると、前記第１のＳＡＴＡ制御部に対してアイドル状態への復帰処理を行い、前記第１のインターフェースに対してアイドル状態への復帰処理を行い、
前記第２のＳＡＴＡ制御部は、前記第１のＳＡＴＡ制御部により省電力状態からアイドル状態への復帰が指示されると、前記第２のＳＡＴＡ制御部に対してアイドル状態への復帰処理を行い、前記第１のインターフェースに対してアイドル状態への復帰処理を行い、前記第２の電源オフモードである場合には、前記ストレージデバイスに対してアイドル状態への復帰処理を行い、前記第２のインターフェースに対してアイドル状態への復帰処理を行うことを特徴とする請求項３記載の電子機器。
【請求項１４】
通常の電力状態から複数の省電力状態に遷移可能な電子機器であって、
ストレージデバイスと、
少なくとも１つのプロセッサと少なくとも１つのメモリを含む第１コントローラと、
所定の通信規格に従う所定の物理通信インターフェースを介して前記第１コントローラ及び前記ストレージデバイスと通信する第２コントローラとを有する電子機器の制御方法であって、
前記電子機器が前記複数の省電力状態のうちのいずれかの省電力状態に移行することに従って、前記第１コントローラは、前記移行する省電力状態に応じた省電力モードに前記第２コントローラを移行させ、省電力モードに移行した前記第２コントローラは、前記ストレージデバイスに対して電源をオフする所定のモードに移行させ、
且つ、
前記電子機器が前記複数の省電力状態のうちのいずれかの省電力状態から復帰することに従って、前記第１コントローラは、前記第２コントローラを前記省電力モードから復帰させ、復帰した前記第２コントローラは、前記所定のモードに基づいて前記ストレージデバイスを復帰させるか否かを制御することを特徴とする電子機器の制御方法。
【手続補正２】
【補正対象書類名】明細書
【補正対象項目名】０００６
【補正方法】変更
【補正の内容】
【０００６】
本発明の目的は、ストレージデバイス（例えばＨＤＤ）のオフ／オン回数に対する寿命を考慮しつつ効率的に消費電力を削減することができる電子機器及び電子機器の制御方法を提供することである。
【手続補正３】
【補正対象書類名】明細書
【補正対象項目名】０００７
【補正方法】変更
【補正の内容】
【０００７】
本発明の電子機器は、通常の電力状態から複数の省電力状態に遷移可能な電子機器であって、ストレージデバイスと、少なくとも１つのプロセッサと少なくとも１つのメモリを含む第１コントローラと、所定の通信規格に従う所定の物理通信インターフェースを介して前記第１コントローラ及び前記ストレージデバイスと通信する第２コントローラとを有し、前記電子機器が前記複数の省電力状態のうちのいずれかの省電力状態に移行することに従って、前記第１コントローラは、前記移行する省電力状態に応じた省電力モードに前記第２コントローラを移行させ、省電力モードに移行した前記第２コントローラは、前記ストレージデバイスに対して電源をオフする所定のモードに移行させ、且つ、前記電子機器が前記複数の省電力状態のうちのいずれかの省電力状態から復帰することに従って、前記第１コントローラは、前記第２コントローラを前記省電力モードから復帰させ、復帰した前記第２コントローラは、前記所定のモードに基づいて前記ストレージデバイスを復帰させるか否かを制御する。
【手続補正４】
【補正対象書類名】明細書
【補正対象項目名】０００８
【補正方法】変更
【補正の内容】
【０００８】
ストレージデバイス（例えばＨＤＤ）のオフ／オン回数に対する寿命を考慮しつつ効率的に消費電力を削減することができる。